(57)【要約】【課題】屋内の空気を清浄化する方法及びそれに使用する装置を提供する。【解決手段】取り入れられた屋内の空気を、次亜塩素酸を含む水溶液を含浸した除菌フィルタに通して再び屋内に戻すことにより、屋内の空気を清浄化する方法であって、  前記次亜塩素酸を含む水溶液は、次亜塩素酸の濃度が２０ｐｐｍ乃至２００ｐｐｍの範囲にあるｐＨ５乃至ｐＨ７の液であり、そして  次亜塩素酸を含む水溶液の屋内への供給量は、室温２０℃及び相対湿度３０％において、２００ｍＬ／時間乃至７３０ｍＬ／時間の範囲にある、方法。【選択図】図９
2016202191.tif 000002
【特許請求の範囲】
【請求項１】
取り入れられた屋内の空気を、次亜塩素酸を含む水溶液を含浸した除菌フィルタに通して再び屋内に戻すことにより、屋内の空気を清浄化する方法であって、
前記次亜塩素酸を含む水溶液は、次亜塩素酸の濃度が２０ｐｐｍ乃至２００ｐｐｍの範囲にあるｐＨ５乃至ｐＨ７の液であり、そして
次亜塩素酸を含む水溶液の屋内への供給量は、室温２０℃及び相対湿度３０％において、２００ｍＬ／時間乃至７３０ｍＬ／時間の範囲にある、方法。
【請求項２】
前記次亜塩素酸を含む水溶液は、該水溶液が充填される交換可能なカートリッジ容器より、前記除菌フィルタが備えられた含浸トレイ内に流入される機構となっている、請求項１記載の方法。
【請求項３】
前記除菌フィルタは、正面から背面に通じる多数の連通孔を有するコルゲート構造体からなり、該連通孔は、４ｍｍ乃至７ｍｍの孔径及び４．５ｃｍ乃至６．５ｃｍの孔長を有する、請求項１又は請求項２記載の方法。
【請求項４】
前記コルゲート構造体は、４０乃至６０質量％のレーヨンと６０乃至４０質量％のＰＶＡとからなる不織布より作られている、請求項３記載の方法。
【請求項５】
請求項１乃至請求項４のうちいずれか一項記載の方法に使用するための装置であって、
本体内に形成された空気通路部が、本体側方の吸気口と本体上部の吹出口とにおいて外気と連通する装置本体と、
屋内の空気を前記吸気口より取り入れ、前記空気通路部に流送し、そして前記吹出口より放出する送風機と、
前記空気通路部内を流送される空気が吹き当てられそして通過する除菌フィルタと、
該除菌フィルタがトレイ内において、次亜塩素酸を含む水溶液が含浸されるように備えられた含浸トレイと、
次亜塩素酸を含む水溶液が充填された交換可能なカートリッジ容器と、そして
次亜塩素酸を含む水溶液が該カートリッジ容器より前記含浸トレイに流入する溶液流路とを備えてなる、
屋内の空気を清浄化する装置。
【発明の詳細な説明】
【技術分野】
【０００１】
本発明は、屋内に漂うウィルスや細菌を短時間で効率よく除去する屋内の空気を清浄化する方法に関するものである。また、本発明は、前記屋内の空気を清浄化する方法に使用するための装置にも関する。
【背景技術】
【０００２】
屋内の空中に浮遊するウィルスや細菌等を除去することは、重要な公衆衛生上の問題となっている。これに対応して、水道水を電気分解して次亜塩素酸を含む電解水を生成させ、この電解水を用いて空気中に浮遊するウィルス等の除去を図った除菌装置が幾つか提案されている（例えば、特許文献１ないし３参照）。
しかし、これらの装置は、必ずしも屋内に漂うウィルスや細菌を短時間で効率よく除去できるといえるものではなかった。
【先行技術文献】
【特許文献】
【０００３】
【特許文献１】特開２００２−１８１３５８号公報
【特許文献２】特開２００７−２４４５２９号公報
【特許文献３】特開２００８−０４５８５６号公報
【発明の概要】
【発明が解決しようとする課題】
【０００４】
本発明は、屋内に漂うウィルスや細菌を短時間で効率よく除去する屋内の空気を清浄化する方法及びこれに使用するための装置の提供を課題とする。
【課題を解決するための手段】
【０００５】
本発明者は、上記課題を解決するために鋭意検討を行った結果、屋内の空気を、次亜塩素酸の濃度が２０ｐｐｍ乃至２００ｐｐｍの範囲にあるｐＨ５乃至ｐＨ７の次亜塩素酸を含む水溶液を含浸した除菌フィルタに通して再び屋内に戻し、その際、次亜塩素酸を含む水溶液の屋内への供給量を、室温２０℃及び相対湿度３０％において、２００ｍＬ／時間乃至７３０ｍＬ／時間の範囲とすると、屋内に漂うウィルスや細菌が短時間で効率よく除去できることを見出し、本発明を完成させた。
【０００６】
即ち、本発明は、
（１）取り入れられた屋内の空気を、次亜塩素酸を含む水溶液を含浸した除菌フィルタに通して再び屋内に戻すことにより、屋内の空気を清浄化する方法であって、
前記次亜塩素酸を含む水溶液は、次亜塩素酸の濃度が２０ｐｐｍ乃至２００ｐｐｍの範囲にあるｐＨ５乃至ｐＨ７の液であり、そして
次亜塩素酸を含む水溶液の屋内への供給量は、室温２０℃及び相対湿度３０％において、２００ｍＬ／時間乃至７３０ｍＬ／時間の範囲にある、方法、
（２）前記次亜塩素酸を含む水溶液は、該水溶液が充填される交換可能なカートリッジ容器より、前記除菌フィルタが備えられた含浸トレイ内に流入される機構となっている、前記（１）記載の方法、
（３）前記除菌フィルタは、正面から背面に通じる多数の連通孔を有するコルゲート構造体からなり、該連通孔は、４ｍｍ乃至７ｍｍの孔径及び４．５ｃｍ乃至６．５ｃｍの孔長を有する、前記（１）又は前記（２）記載の方法、
（４）前記コルゲート構造体は、４０乃至６０質量％のレーヨンと６０乃至４０質量％のＰＶＡとからなる不織布より作られている、前記（３）記載の方法、
（５）前記（１）乃至前記（４）のうちいずれか一つに記載の方法に使用するための装置であって、
本体内に形成された空気通路部が、本体側方の吸気口と本体上部の吹出口とにおいて外気と連通する装置本体と、
屋内の空気を前記吸気口より取り入れ、前記空気通路部に流送し、そして前記吹出口より放出する送風機と、
前記空気通路部内を流送される空気が吹き当てられそして通過する除菌フィルタと、
該除菌フィルタがトレイ内において、次亜塩素酸を含む水溶液が含浸されるように備えられた含浸トレイと、
次亜塩素酸を含む水溶液が充填された交換可能なカートリッジ容器と、そして
次亜塩素酸を含む水溶液が該カートリッジ容器より前記含浸トレイに流入する溶液流路とを備えてなる、
屋内の空気を清浄化する装置、
に関するものである。
【発明の効果】
【０００７】
本発明により、屋内に漂うウィルスや細菌を短時間で効率よく除去する屋内の空気を清浄化する方法及びこれに使用するための装置が提供される。
本発明で使用する次亜塩素酸を含む水溶液は、電気分解で生成させるものでなく、外部で調製されたものを、例えば、交換可能なカートリッジ容器等に貯めて使用するものであるため、電気分解の効率等に左右されることなく、必要な量をいつでも供給することが可能であり、また、殺ウィルス活性や除菌活性に有利なｐＨに調整されたものであるため、常時安定して屋内の空気を清浄化することができる。
また、本発明の方法は、結果として屋内を加湿するものであるため、屋内の空気の清浄化を伴う加湿方法としても使用することができる。
また、本発明の装置は、実質的に加湿器と同じ簡易な構造の装置を採用することができるため、経済性の点で有利である。
本発明の方法は、屋内に漂うウィルスや細菌を短時間で効率よく除去するという優れた効果を奏するものであるが、その理由については、以下の３つの理由が考えられる。
１）次亜塩素酸を含む水溶液を含浸した除菌フィルタを空気が通過する際に、該水溶液が蒸発し、該水溶液の蒸気を含む空気が屋内に戻されて、該戻された空気中に含まれる次亜塩素酸（塩素）が、屋内に漂うウィルスや細菌を除去する。
２）次亜塩素酸を含む水溶液を含浸した除菌フィルタの周囲には、該水溶液が蒸発した蒸気が存在するため、屋内の空気は、除菌フィルタを通過する際、前記蒸気と接触し、これにより、除菌フィルタを通過する空気中のウィルスや細菌が除去され、該ウィルスや細菌が除去された空気が屋内に戻され、これを繰り返すことにより、屋内に漂うウィルスや細菌が除去される。
３）除菌フィルタを空気が通過する際、該空気は除菌フィルタに含浸された次亜塩素酸と接触し、これにより、除菌フィルタを通過する空気中のウィルスや細菌が除去され、該ウィルスや細菌が除去された空気が屋内に戻され、これを繰り返すことにより、屋内に漂うウィルスや細菌が除去される。
本発明の方法の優れた効果が上記の何れの理由により奏させるものであるかは必ずしも明確ではないが、実施例で示される２５ｍ3チャンバー内の塩素濃度が非常に低い濃度に保たれていたことから、３）である可能性が高いものと考えられる。
【図面の簡単な説明】
【０００８】
【図１】本発明の方法に用いる除菌フィルタを説明する図である。
【図２】本発明の装置を説明する概略図である。
【図３】本発明の装置の１態様の外観斜視図である。
【図４】本発明の装置の１態様の分解斜視図である。
【図５】本発明の装置の１態様の底板部を示す図である。
【図６】試験に使用した、２５ｍ3チャンバーの上面図である。
【図７】試験に使用した、２５ｍ3チャンバーの側面図である。
【図８】経過時間に伴う浮遊ウィルス数の変化を示すグラフである。
【図９】初期値０分を１００％とした時の浮遊ウィルス残存率の変化を示すグラフである。
【図１０】対照の試験時におけるチャンバー内の浮遊粒子数の変化を示すグラフである。
【図１１】試験品の試験時におけるチャンバー内の浮遊粒子数の変化を示すグラフである。
【図１２】対照の試験時におけるチャンバー内温湿度の変化を示すグラフである。
【図１３】試験品の試験時におけるチャンバー内温湿度の変化を示すグラフである。
【発明を実施するための形態】
【０００９】
更に詳細に本発明を説明する。
本発明の屋内の空気を清浄化する方法は、取り入れられた屋内の空気を、次亜塩素酸を含む水溶液を含浸した除菌フィルタに通して再び屋内に戻すものであって、
前記次亜塩素酸を含む水溶液は、次亜塩素酸の濃度が２０ｐｐｍ乃至２００ｐｐｍの範囲にあるｐＨ５乃至ｐＨ７の液であり、そして
次亜塩素酸を含む水溶液の屋内への供給量は、室温２０℃及び相対湿度３０％において、２００ｍＬ／時間乃至７３０ｍＬ／時間の範囲にあることを特徴とする。
【００１０】
本発明に使用する次亜塩素酸を含む水溶液は、基本的には水に次亜塩素酸ナトリウムを加え、酸を用いてｐＨを５ないし７に調節したものである。
使用する水としては、水道水、井戸水、脱イオン水、蒸留水等を用いることができるが、カルシウムやマグネシウムが除去された水が好ましい。
使用する酸としては、例えば、塩酸、酢酸等が挙げられる。
次亜塩素酸を含む水溶液における次亜塩素酸ナトリウムの濃度は、２０ないし２００ｐｐｍの範囲とする。経済性の面からは、５０ないし１００ｐｐｍの範囲が好ましい。
次亜塩素酸を含む水溶液は、予め、所望の次亜塩素酸ナトリウムの濃度の水溶液（ｐＨを５ないし７）を調製して用いることもできるが、濃度の高い水溶液、例えば、３０００ｐｐｍの次亜塩素酸ナトリウムの濃度の水溶液（ｐＨを５ないし７）を事前に用意しておき、使用直前にこれを所望の濃度に水道水で希釈して使用することもできる。
【００１１】
本発明に使用される除菌フィルタを、図１を用いて説明する。
除菌フィルタとしては、例えば、図１で示されるような、正面から背面に通じる多数の連通孔を有するコルゲート構造体からなる除菌フィルタ３が挙げられるが、この場合、除菌フィルタ３は、平板状の布体１２と波状の布体１１とを交互に積層した構造となる。
コルゲート構造体の連通孔の孔径は、４ｍｍ乃至７ｍｍとするのが好ましい。
コルゲート構造体におけるセルサイズは、段高ｂが、２ないし４ｍｍの範囲であるのが好ましく、２．５ないし３．５ｍｍの範囲であるのがより好ましく、ピッチａが、４ないし７ｍｍの範囲であるのが好ましく、５．５ないし６．５ｍｍの範囲であるのがより好ましい。
平板状の布体１２は、例えば、厚さ０．３ないし０．７ｍｍ、好ましくは、０．４ないし０．６ｍｍの不織布であり、好ましくは、レーヨンとＰＶＡ（ポリビニルアルコール）とで作製され、好ましくは、４０ないし６０質量％のレーヨンと４０ないし６０質量％のＰＶＡとから構成されるのが好ましく、また、５０質量％のレーヨンと５０質量％のＰＶＡとから構成されるのがより好ましい。
波状の布体１１は、例えば、厚さ０．３ないし０．７ｍｍ、好ましくは、０．４ないし０．６ｍｍの不織布であり、平板状の布体１２と同一の材質で構成することができるが、異なる材質で構成することもできる。
好ましくは、波状の布体１１は、平板状の布体１２と同一の材質で構成され、好ましくは、レーヨンとＰＶＡ（ポリビニルアルコール）とで作製され、好ましくは、４０ないし６０質量％のレーヨンと４０ないし６０質量％のＰＶＡとから構成されるのが好ましく、また、５０質量％のレーヨンと５０質量％のＰＶＡとから構成されるのがより好ましい。
除菌フィルタ３を空気が通過する際の断面積、即ち、除菌フィルタの正面の面積は、特に限定されるものではないが、例えば、２００ないし３００ｃｍ2、好ましくは、２４０ないし２６０ｃｍ2とすることができる。
除菌フィルタ３における連通孔の孔長、即ち、除菌フィルタ３の正面から背面までの距離は４．５ないし６．５ｃｍであり、好ましくは、５．０ｃｍないし６．０ｃｍである。
【００１２】
除菌フィルタ３は、保持体１３と他方の保持体１４とで挟まれた形態で用いられる。
ここで、前記両保持体１３、１４は、ともに合成樹脂材料で作製され、前記一方の保持体１３は一側は除菌フィルタ３を収納するために開口され、他側は格子状の窓が形成されており、側部の一方には係止部１５が形成されて、もう一方の側部には係合溝１６が形成されている。また、前記他方の保持体１４も同じく一側は除菌フィルタ３を収納するために開口され、他側は格子状の窓が形成されており、側部の一方には係止部１５が形成されて、もう一方の側部には係合溝１６が形成されている。
【００１３】
本発明の屋内の空気を清浄化する方法において、前記除菌フィルタは、前記次亜塩素酸を含む水溶液を含浸し、そして、屋内の空気は、該次亜塩素酸を含む水溶液を含浸した除菌フィルタを通って屋内に戻される。
次亜塩素酸を含む水溶液は、例えば、交換可能なカートリッジ容器に蓄えられ、該カートリッジ容器から溶液流路を通って含浸トレイに供給される。ここで、除菌フィルタは、含浸トレイの中に設置されており、そのため、除菌フィルタの底面は含浸トレイに供給された次亜塩素酸を含む水溶液に浸り、そして、該水溶液は毛細管現象により除菌フィルタ全体に吸い上げられ、結果として、除菌フィルタは、次亜塩素酸を含む水溶液を含浸することとなる。
【００１４】
屋内の空気は、前記次亜塩素酸を含む水溶液を含浸した除菌フィルタを通って屋内に戻されるが、これは、例えば、屋内の空気を送風機により除菌フィルタに送風することにより達成される。
送風機は、送風ファンを備えたファンモーターであり、送風ファンとしては、シロッコファン、クロスフローファン等が挙げられる。シロッコファンを備えたファンモーターが好ましい。
屋内の空気は、送風機に送られる前に、空気浄化フィルターを通して、空気中に含まれる埃等を除いておくのが好ましい。
本発明において、次亜塩素酸を含む水溶液の屋内への供給量は、室温２０℃及び相対湿度３０％において、２００ｍＬ／時間乃至７３０ｍＬ／時間の範囲に調整される。
より好ましい、室温２０℃及び相対湿度３０％における加湿量は、４００ｍＬ／時間乃至６００ｍＬ／時間の範囲である。
上記の際の、除菌フィルタを通過する空気の速度（風速）は、１２０ないし１８０ｍ／分に相当する。
この場合、例えば、除菌フィルタの断面積が２５０ｃｍ2である場合、空気の流速は、３．０ｍ3／分ないし４．５ｍ3／分程度となる。
また、室温２０℃及び相対湿度３０％における加湿量が、４５０ないし５５０ｍＬ／時間の範囲となるものも好ましい。
上記の際の、除菌フィルタを通過する空気の速度（風速）は、１３５ないし１６０ｍ／分に相当する。
この場合、例えば、除菌フィルタの断面積が２５０ｃｍ2である場合、空気の流速は、３．４ｍ3／分ないし４．１４ｍ3／分程度となる。
本発明の方法は、上記のように、屋内の空気が、次亜塩素酸を含む水溶液を含浸した除菌フィルタを通過するものであるため、その際、前記水溶液は蒸発することとなり、結果として屋内は加湿される。
【００１５】
本発明はまた、上記した屋内の空気を清浄化する方法に使用するための装置に関する。
本発明の屋内の空気を清浄化する装置は、本体内に形成された空気通路部が、本体側方の吸気口と本体上部の吹出口とにおいて外気と連通する装置本体と、
屋内の空気を前記吸気口より取り入れ、前記空気通路部に流送し、そして前記吹出口より放出する送風機と、
前記空気通路部内を流送される空気が吹き当てられそして通過する除菌フィルタと、
該除菌フィルタがトレイ内において、次亜塩素酸を含む水溶液が含浸されるように備えられた含浸トレイと、
次亜塩素酸を含む水溶液が充填された交換可能なカートリッジ容器と、そして
次亜塩素酸を含む水溶液が該カートリッジ容器より前記含浸トレイに流入する溶液流路とを備えてなることを特徴とする。
【００１６】
本発明の屋内の空気を清浄化する装置を図２を用いて説明する。
次亜塩素酸を含む水溶液６は、交換可能なカートリッジ容器４に蓄えられており、次亜塩素酸を含む水溶液６は、水受部７を介してカートリッジ容器４から流出し、溶液流路を通って含浸トレイ５に流入する。該含浸トレイ内には除菌フィルタ３が設置されているため、該除菌フィルタ３の底面は含浸トレイ５に供給された次亜塩素酸を含む水溶液に浸され、該水溶液は毛細管現象により除菌フィルタ３全体に吸い上げられ、結果として、除菌フィルタ３は、次亜塩素酸を含む水溶液６により含浸されることとなる。
一方、屋内の空気は、装置本体側方の吸気口から装置内に入って、ファンモーター１の回転軸に結合する送風ファン２に供給される。送風ファン２に供給された空気は加速されて、送風口１０から下向きに吹出し、次亜塩素酸を含む水溶液６により含浸された除菌フィルタ３に送風される。送風された空気は、除菌フィルタ３内を通過し、背面板８の内側に形成される風路を通って、吹出口９から屋内へ吐出される。
上記の場合、空気通路部は、装置本体側方の吸気口  →  送風ファン２  →  送風口１０  →  除菌フィルタ３  →  背面板８の内側に形成される風路  →  吹出口９となる。
【００１７】
本発明の装置の１態様を図３ないし５を用いて説明する。
本発明の装置の１態様の外観を図３に示した。
本発明の装置は、前面に前パネル１７を有し、上面に天板２０、操作部２１、取っ手１９及び吹出口９を有する。ここで、吹出口９は、不使用時には閉じており、運転時にルーバーを開いて使用される。装置本体側方の一方には、吸気口１８を有するが、吸気口１８の内側には、空気浄化フィルターが存在する。
また、本発明の装置は、背面に交換可能なカートリッジ容器４及びカートリッジ容器蓋板２３を有し、吸気口１８を有する側面と逆側の側面には、周側板２２を有する。
【００１８】
本発明の装置の１態様を分解した際の外観を図４に示した。
本発明の装置は、装置主要部２４、底板部２６、交換可能なカートリッジ容器４、保持体１３及び１４と一体となった除菌フィルタ３及び背面板８の一部分２５に、簡単に分解できる。ここで、底板部２６には、次亜塩素酸を含む水溶液を供給する含浸トレイ５が形成されており、この含浸トレイ５の中に、保持体１３及び１４と一体となった除菌フィルタ３が設置される。
底板部２６には、水受部７及び次亜塩素酸を含む水溶液を含浸トレイ５に供給するための溶液流路２７が形成される。
【００１９】
上記のように、本発明の装置の１態様について説明したが、上述の説明に基づいて当業
者にとって種々の代替例、修正又は変形が可能であり、本発明の趣旨を逸脱しない範囲で前述の種々の代替例、修正又は変形を包含するものである。
【実施例】
【００２０】
実施例１：浮遊ウィルスの抑制性能評価（２５ｍ3空間）
１）目的
加湿水として次亜塩素酸水を入れた空間清浄システムによって、浮遊ウィルスがどの程度抑制させるかを、日本電機工業会「空気清浄機の浮遊ウィルスに対する除去能評価試験方法」に準拠し、６畳の空間に相当する２５ｍ3試験チャンバーを用いて評価した。
２）試験機関
一般財団法人  北里環境科学センター
３）実施期間
平成２５年７月１７日〜平成２５年７月２３日
４）試験品（「空間清浄システム」）
使用装置：図３ないし５で示される装置
除菌フィルタ：５０質量％のレーヨンと５０質量％のＰＶＡとから構成される厚さ０．５ｍｍの平板状の不織布と、同一の素材から構成される厚さ０．５ｍｍの波状の不織布とを交互に積層して構成されるコルゲート構造体であって、そのセルサイズは、段高が３ｍｍであり、ピッチが、６ｍｍであり、連通孔の孔長、即ち、正面から背面までの距離は５．５ｃｍであり、断面積、即ち、正面の面積は、２５０ｃｍ2であるフィルタを用いた。
次亜塩素酸を含む水溶液：ｐＨ５ないし７に調整された、次亜塩素酸ナトリウムの濃度、約３０００ｐｐｍの水溶液を事前に用意しておき、使用直前にこれを水道水で希釈して、次亜塩素酸ナトリウムの濃度、約６０ｐｐｍの水溶液（ｐＨ５ないし７）として使用した。
運転条件：室温２０℃、相対湿度３０％の加湿量が５００ｍＬ／時間となる運転条件（中運転モード）で使用した。
（除菌フィルタを通過する空気の速度（風速）は、１５０ｍ／分に相当し、空気の流速は、３．７７ｍ3／分に相当する。）
【００２１】
５）試験微生物
ウィルス：Ｅｓｃｈｅｒｉｃｈｉａ  ｃｏｌｉ  ｐｈａｇｅ  ＭＳ２  ＮＢＲＣ  １０２６１９（大腸菌ファージ）
宿主菌：Ｅｓｃｈｅｒｉｃｈｉａ  ｃｏｌｉ  ＮＢＲＣ  １０６３７３（大腸菌）
６）試薬及び機器・器材
ａ．主な試薬・培地
・Ｎｕｔｒｉｅｎｔ  Ｂｒｏｔｈ（Ｄｉｆｃｏ）
・塩化ナトリウム（和光、特級）
・Ａｇａｒ（Ｄｉｆｃｏ）
・普通寒天培地（日本）
・リン酸緩衝生理食塩液（ＭＶ−２２５、エルメックス）
・チオ硫酸ナトリウム（和光、一級）
ｂ．主な機器・器材
・２５ｍ3試験チャンバー（３．３×３．５×２．２ｍ、アメニティテクノロジー）
・攪拌ファン（ＢＳ−Ｂ−２５、Ｙａｍａｚｅｎ）
・レーザー式パーティクルカウンター（ＭＯＤＥＬ３８８６、日本カノマックス）
・温湿度計（ＴＲ−７２Ｕｉ、Ｔ＆Ｄ）
・ガラス製ネブライザー（特注品）
・ガラス製ミゼットインピンジャー（特注品）
・塩素検知管（Ｎｏ．８ＬＬ、ガステック）
・気体採取器（ガステック）
・メンブランフィルタ（８０２４−０４５、ＩＷＡＫＩ）
・インキュベーター（ＭＩＲ−１５３、ＭＩＲ−５５３、三洋）
【００２２】
７）方法
日本電機工業会「空気清浄機の浮遊ウィルスに対する除去能評価試験方法」（２０１１年７月４日制定）に準じた。２５ｍ3の試験チャンバー内に試験品（「空間清浄システム」）を設置し、チャンバー内に試験ウィルス液を噴霧、浮遊させた。初発（０分）の浮遊ウィルスをインピンジャーで捕集後、試験品の運転を開始した。その後、経時的にチャンバー内の浮遊ウィルスを捕集し、浮遊ウィルス数を測定した。尚、対照として、自然減衰するウィルス数を測定した。詳細を以下に示した。
ａ．試験系
試験系を図６、７に示した。２５ｍ3試験チャンバー内に試験品と攪拌ファン、及びレーザー式パーティクルカウンター、温湿度計をそれぞれ設置した。チャンバーの一側面には、ウィルス液噴霧口と浮遊ウィルス捕集口を設け、それぞれウィルス液噴霧器具と浮遊ウィルス捕集器具を接続した。ウィルス液噴霧器具として、ウィルス液を入れたガラス製ネブライザーを使用した。浮遊ウィルス捕集器具として、捕集液を入れたガラス製ミゼットインピンジャーを使用した。
ｂ．ウィルス液の調製
Ｎｕｔｒｉｅｎｔ  Ｂｒｏｔｈで、３６±１℃にて一晩培養した宿主菌液に、試験ウィルスを接種し、半流動寒天（Ｎｕｔｒｉｅｎｔ  Ｂｒｏｔｈ＋０．５％ＮａＣｌ＋０．５％Ａｇａｒ）と混合して普通寒天培地に重層した。３６±１℃で１８時間培養後、宿主菌を遠心除去し、孔径０．２２μｍのメンブランフィルタでろ過して約１０11ＰＦＵ／ｍＬの試験ウィルス液を得た。これを滅菌イオン交換水で１００倍希釈し、試験に供した。
ｃ．ウィルス液の噴霧
ウィルス液を入れたガラス製ネブライザーに、コンプレッサーから圧縮空気を送り出し、ウィルス液をチャンバー内へ毎分約０．２ｍＬで１０分間噴霧して浮遊させた。尚、コンプレッサーからの吐出空気圧を１．５ｋｇｆ／ｃｍ2、吐出空気量を７．２５Ｌ／分とした。
ｄ．浮遊ウィルスの捕集
捕集液として０．０１５％チオ硫酸ナトリウム添加リン酸緩衝生理食塩液２０ｍＬを入れたガラス製インピンジャーを用いた。１回の捕集につき、毎分１０Ｌで１分間（＝１０Ｌ）のチャンバー内の空気を吸引し、浮遊ウィルスを捕集した。
ｅ．操作
チャンバー内の攪拌ファンを作動させながらウィルス液を１０分間噴霧し、２分攪拌した後にチャンバー内空気から初発（０分）の浮遊ウィルスを捕集した。その後、攪拌ファンを止め、試験品を、室温２０℃、相対湿度３０％の加湿量が５００ｍＬ／時間となる運転条件（中運転モード）で運転し、１０、２０、３０、４０分後に浮遊ウィルスを捕集した。尚、試験品の運転を行わずに、ウィルスを自然減衰させ、上記と同様に浮遊ウィルスを捕集したものを対照とした。
ｆ．浮遊ウィルス数の測定
浮遊ウィルス捕集後、ミゼットインピンジャー内の捕集液を試料原液とし、リン酸緩衝生理食塩液で１０倍段階希釈列を作製した。その試料原液または希釈液と宿主菌を半流動寒天に混合して普通寒天培地に重層し、３６±１℃で１８時間培養した。培養後、培地上に発生したプラーク数を数え、空気１０Ｌ当りの浮遊ウィルス数を求めた。
ｇ．塩素ガス濃度の測定
所定時間作用後に、塩素検知管で試験チャンバー内の空気を吸引し、チャンバー内の塩素濃度を測定した。
【００２３】
８）結果
噴霧した試験ウィルス液のウィルス数は４．６×１０９ＰＦＵ／ｍＬであった。
加湿水として用いた先浄水の有効塩素濃度は、試験開始時で６０ｍｇ／Ｌ（ｐＨ：５）、試験終了時のカートリッジ容器内で５３ｍｇ／Ｌ、含浸トレイで３２ｍｇ／Ｌであった。尚、加湿量は４０分で２５０ｍＬであった。
表１に経過時間ごとの浮遊ウィルス数を示し、また、その際の浮遊ウィルス数の変化を示すグラフを図８に示した。
尚、図８に示した浮遊ウィルス数に関する近似式の傾き（１分間当りに変化する浮遊ウィルス数の対数値）は、対照が−０．００６６１であり、試験品が−０．２００００であった。
従って、初期からの浮遊ウィルス数の対数減少値は１０分間で対照が０．０７ｌｏｇ10、試験品が２．００ｌｏｇ10であり、２０分間で対象が０．１３ｌｏｇ10、試験品が４．００ｌｏｇ10であった。
対照を基準として、ウィルス数の対数減少値（減少率*）を比較すると、試験品によって１０分間で１．９３ｌｏｇ10（９８．８％）、２０分間で３．８７ｌｏｇ10（９９．９８％）減少した。尚、対数減少値が２．０ｌｏｇ10（９９％）以上に達するのに要する時間は１１分であった。
このことは、試験品の使用により、屋内に漂うウィルスや細菌を短時間で効率よく除去することを明確に示す。
*注：対数減少値１．０は、９０％減少、２．０は９９％減少である。計算式は以下のようになる。
【数１】
2016202191.tif 000003
【表１】
2016202191.tif 000004
表２に試験時におけるチャンバー内の塩素ガス濃度を示した。
【表２】
2016202191.tif 000005
表３に初期値０分を１００％とした時の浮遊ウィルス残存率を示し、また、その際の浮遊ウィルス残存率の変化を示すグラフを図９に示した。
【表３】
2016202191.tif 000006
参考データとして、対照の試験時におけるチャンバー内の浮遊粒子数の変化を示すグラフを図１０に示し、試験品の試験時におけるチャンバー内の浮遊粒子数の変化を示すグラフを図１１に示し、対照の試験時におけるチャンバー内温湿度の変化を示すグラフを図１２に示し、試験品の試験時におけるチャンバー内温湿度の変化を示すグラフを図１３に示した。
【符号の説明】
【００２４】
１：ファンモーター
２：送風ファン
３：除菌フィルタ
４：交換可能なカートリッジ容器
５：含浸トレイ
６：次亜塩素酸を含む水溶液
７：水受部
８：背面板
９：吹出口
１０：送風口
１１：波状の布体
１２：平板状の布体
１３：保持体
１４：保持体
１５：係止部
１６：係合溝
１７：前パネル
１８：吸気口
１９：取っ手
２０：天板
２１：操作部
２２：周側板
２３：カートリッジ容器蓋板
２４：装置主要部
２５：背面板（一部分）
２６：底板部
２７：溶液流路
【図１】
2016202191.tif 000007
【図２】
2016202191.tif 000008
【図３】
2016202191.tif 000009
【図４】
2016202191.tif 000010
【図５】
2016202191.tif 000011
【図６】
2016202191.tif 000012
【図７】
2016202191.tif 000013
【図８】
2016202191.tif 000014
【図９】
2016202191.tif 000015
【図１０】
2016202191.tif 000016
【図１１】
2016202191.tif 000017
【図１２】
2016202191.tif 000018
【図１３】
2016202191.tif 000019